(57)【要約】【課題】薄肉の射出成形品である容器本体の外側に筒状ラベルが装着されたカップ状容器において、外観の更なる向上を図ることにある。【解決手段】射出成形によって形成された熱可塑性プラスチックからなる上方に開口した有底筒状の容器本体２の外側に、熱収縮性の筒状ラベル３が装着されたカップ状容器１において、容器本体２の内周面に、上下方向に延びる多数の縦リブ２１ｂが内方に向けて突出するように形成されている。【選択図】      図１
2007022556.tif 000002
【特許請求の範囲】
【請求項１】
射出成形によって形成された熱可塑性プラスチックからなる上方に開口した有底筒状の容器本体の外側に、熱収縮性の筒状ラベルが装着されたカップ状容器において、
容器本体の内周面に、上下方向に延びる多数の縦リブが内方に向けて突出するように形成されていることを特徴とするカップ状容器。
【発明の詳細な説明】
【技術分野】
【０００１】
本発明は、例えば、チョコレート菓子等の菓子を収容するカップ状容器に関する。
【背景技術】
【０００２】
従来、例えば、図６に示すように、薄肉の射出成形品からなる有底筒状の容器本体５１の外周面に上下方向に延びる多数の縦リブ５１ａを放射状に突設し、この容器本体５１の外側に、熱収縮性の筒状ラベル５２を装着したカップ状容器５０が知られている（例えば、特許文献１参照）。
【０００３】
【特許文献１】特開２０００−１５３８８４号公報
【０００４】
カップ状容器５０は、多数の縦リブ５１ａによって容器本体５１の外周面と筒状ラベル５２との間に形成される空気層により断熱効果を得ることができるため、例えば、カップ麺等の即席食品のように熱湯を注いで食することができる乾燥食品を収容する容器として好適である。
【発明の開示】
【発明が解決しようとする課題】
【０００５】
ところで、カップ状容器５０では、容器本体５１の外周面に多数の縦リブ５１ａが放射状に突設されているため、その外側に装着された筒状ラベル５２が縦リブ５１ａで屈曲した状態となり、筒状ラベル５２の表面に縦方向の筋がついたように見えてしまう。筒状ラベル５２には文字や図柄等の表示がなされているが、縦方向の筋が筒状ラベル５２の表面に浮き出ることで、場合によっては文字や図柄等の見え方にも影響を及ぼす可能性があり、カップ状容器５０の外観については改良の余地がある。
【０００６】
そこで、本発明の課題とするところは、薄肉の射出成形品である容器本体の外側に筒状ラベルが装着されたカップ状容器において、その外観の更なる向上を図ることにある。
【課題を解決するための手段】
【０００７】
本発明は、上記課題を達成するため、射出成形によって形成された熱可塑性プラスチックからなる上方に開口した有底筒状の容器本体の外側に、熱収縮性の筒状ラベルが装着されたカップ状容器において、容器本体の内周面に、上下方向に延びる多数の縦リブが内方に向けて突出するように形成されていることを特徴とするカップ状容器を提供する。
【０００８】
本発明のカップ状容器は、容器本体の内周面に多数の縦リブを突設したことにより、容器本体の外周面が凹凸のない円周面となっており、この円周面に筒状ラベルが装着されている。従って、容器本体の凹凸のない外周面に筒状ラベルを密着させることができ、筒状ラベルの表面も凹凸のないきれいな円周面となる。
【０００９】
また、容器本体内に収容される収容物が容器本体の内周面に内方に向けて突出するように形成された並行する多数の縦リブによって容器本体の内周面から離隔されることになり、収容物と容器本体との接触面積が小さくなる上に、収容物に容器本体を把持する手の熱が伝わり難くなる。
【発明の効果】
【００１０】
本発明のカップ状容器によれば、容器本体に筒状ラベルをその表面に凹凸のないきれいな状態で装着できるため、筒状ラベルに表示された文字や図柄等の見え方に影響を及ぼす可能性がないという効果が得られ、カップ状容器の外観の更なる向上が図れる。
【００１１】
また、本発明のカップ状容器によれば、容器本体内に収容された収容物と容器本体との接触面積が小さい上に、収容物に容器本体を把持する手の熱が伝わり難いため、収容物を外部からの熱から守ることができ、熱による影響を受け易い収容物でも品質を保持することができる。
【発明を実施するための最良の形態】
【００１２】
以下、本発明の実施の形態について図面を参照して説明する。図１は本発明の実施の形態に係るカップ状容器の斜視図、図２はカップ状容器の半断面図、図３はカップ状容器の平面図、図４は図２のＢ部を示す拡大図、図５は縦リブを示す断面図である。
【００１３】
本実施の形態のカップ状容器１は、例えば、ポリプロピレン、高密度ポリエチレン等の熱可塑性プラスチックを材料として射出成形によって薄肉に形成された上方を開口する有底筒状の容器本体２を備えている。
【００１４】
容器本体２は、下端部に向けて小径となるように中心軸に向かって凹んだ曲面テーパー形状に形成された筒状の胴部２１と、この胴部２１の下端部を閉塞する底部２２と、胴部２１の上端縁から径方向外側に張り出すフランジ部２３とから構成されており、胴部２１は、その上端部に径が略一定のストレート部２１ａを有している。容器本体２の胴部２１は、薄肉であるが常用的強度が得られる０．２〜０．４ｍｍの肉厚に形成されており、具体的には０．２５ｍｍに形成されている。また、胴部２１のストレート部２１ａは、それ以外の部位より肉厚が厚く形成されており、具体的には０．５ｍｍに形成されている。
【００１５】
容器本体２の胴部２１の内周面には、上下方向に延びる多数の縦リブ２１ｂが胴部２１の内方（具体的には胴部２１の中心線）に向けて突出するように形成されている。各縦リブ２１ｂは、容器本体２の円周方向に一定間隔で、かつ、胴部２１のストレート部２１ａを除く全長にわたって上下方向に連続して形成されている。具体的には、縦リブ２１ｂは、容器本体２の胴部２１の内周面に、約８°の間隔で合計４４本形成されている。
【００１６】
縦リブ２１ｂは、図５に示すように、断面略台形形状をなしており、台形形状の底辺部を容器本体２の胴部２１の内周面に接続された状態になっている。縦リブ２１ｂは、容器本体２の胴部２１の内周面を基準に均一な突出量で内方に向けて突出して形成されている。具体的には、縦リブ２１ｂは、上辺部が０．５８ｍｍ、底辺部が０．７ｍｍに形成され、突出量（台形形状の高さ）が０．５２ｍｍに形成されている。
【００１７】
縦リブ２１ｂは、容器本体２を射出成形する際に容器本体２の胴部２１を薄肉に成形させるために必要不可欠なものである。即ち、射出成形時において、溶融プラスチックを底部成形用空間の中央に対応した位置に設けた一箇所のゲート（ピンゲート）から射出するが、胴部成形用空間が幅狭であっても、溶融プラスチックが縦リブ成形空間を介して胴部成形空間内に満遍なく流れ込むから、容器本体２の胴部２１を薄肉に成形することができる。
【００１８】
一方、容器本体２の胴部２１の外周面には、胴部２１を上端から下端まで全て被覆するように熱収縮性を有する筒状ラベル３が装着されている。
【００１９】
筒状ラベル３は、装着前は円周方向に熱収縮性を有する熱収縮性フィルムの両端縁を重ね合わせて接合して筒状体に形成されており、この筒状ラベル３の内面（容器本体２の胴部２１と接する面）には、文字や図柄等が印刷されているとともに、内面上部には、熱収縮時の熱で活性化して接着性を発揮する感熱接着剤が塗布されている。この筒状ラベル３は、容器本体２の胴部２１に下方から被せた状態で、所定温度で加熱処理して熱収縮させることにより容器本体２の胴部２１に装着されている。このとき、筒状ラベル３は、熱収縮時の熱で感熱接着剤が活性化して接着性を発揮するため、筒状ラベル３の内面上部が胴部２１のストレート部２１ａの外周面に接着される。これにより、筒状ラベル３は、熱収縮性によって容器本体２の胴部２１に沿って下端部に向けて小径となるテーパー形状になっても、容器本体２から下方に位置ずれすることなく保持される。しかも、筒状ラベル３は、熱収縮性によって容器本体２の胴部２１に装着されるので、容器本体２の胴部２１が曲面テーパー形状であっても、容器本体２の胴部２１に沿って密着した状態で装着される。尚、筒状ラベル３の下端は、容器本体２の胴部２１の下に回り込んだ状態になっている。
【００２０】
筒状ラベル３に使用する熱収縮性フィルムは、特に限定されず、例えば、ポリエチレンテレフタレート等のポリエステル系樹脂、ポリプロピレン等のオレフィン系樹脂、スチレン−ブタジエン共重合体等のスチレン系樹脂、環状オレフィン系樹脂、塩化ビニル系樹脂、ポリ乳酸系樹脂、又はこれらの２種以上の混合物や同種あるいは異種の積層等からなる厚さ２０〜８０μｍのフィルムを用いることができる。尚、熱収縮性フィルムとしては、容器本体２の胴部２１が上述のような薄肉であるため、低温収縮性に優れた（８０℃の温水に１０秒間浸漬したときの収縮率が４０％以上）ポリエステル系樹脂からなるもの、あるいは、収縮応力が弱い（９０℃の温水に１０秒間浸漬したときの収縮応力が７ＭＰａ未満）スチレン系やポリ乳酸系のものが好ましい。
【００２１】
容器本体２のフランジ部２３には、例えば、アルミ箔と合成樹脂フィルムや紙等のラミネート材等からなるシール蓋（図示省略）が剥離可能な状態で貼着され、これにより容器本体２が密封されるようになっている。
【００２２】
上記構成からなるカップ状容器１は、容器本体２の胴部２１の内周面に多数の縦リブ２１ｂを形成したことにより、容器本体２の胴部２１の外周面が凹凸のない円周面となっており、この胴部２１の外周面に筒状ラベル３が装着されている。従って、容器本体２の胴部２１の凹凸のない外周面に筒状ラベル３を密着させた状態で装着させることができ、筒状ラベル３の表面を凹凸のないきれいな円周面とすることができる。これにより、筒状ラベル３に表示された文字や図柄等の見え方に影響を及ぼす虞がないという効果が得られ、カップ状容器１の外観の更なる向上が図れる。しかも、容器本体２の胴部２１の外周面に筒状ラベル３を密着させた状態で装着させることができるので、筒状ラベルを容器本体の外周面に突設された多数の縦リブの上から装着させる従来の容器と比べて、筒状ラベル３の容器本体２の胴部２１に対する密着性を大幅に高めることができ、筒状ラベル３の装着強度の向上を図ることができる。
【００２３】
また、カップ状容器１は、容器本体２内に収容された収容物が、容器本体２の胴部２１の内周面に胴部２１の内方に向けて突出するように形成された並行する多数の縦リブ２１ｂによって、容器本体２の胴部２１の内周面から離隔されるから、容器本体２内の収容物と容器本体２の胴部２１との接触面積が小さくなる上に、容器本体２内の収容物に容器本体２の胴部２１を把持する手の熱が伝わり難くなり、容器本体２内の収容物を外部からの熱から守ることができる。従って、容器本体２内の収容物が熱による影響を受け易い、例えば、チョコレート菓子の場合、チョコレートの溶け出しを抑えて品質を保持することができる。しかも、容器本体２内の収容物と容器本体２の胴部２１との接触面積が小さくなっている上に、収容物に容器本体２の胴体２１から熱が伝わり難くなっているので、容器本体２内に熱による影響を受け易い収容物を収容した状態で容器本体２の胴部２１の外周面に筒状ラベル３を熱収縮により装着することが可能である。
【００２４】
また、前記カップ状容器１は、容器本体２の胴部２１に並行する多数の縦リブ２１ｂが胴部２１の内方に向けて突出するように形成されていることにより、容器本体２の胴部２１が凹凸のない平坦である場合に比べて直径方向の強度を向上させることができ、容器本体２の胴部２１を比較的強固に把持しても、容器本体２の胴部２１が変形し難くいという効果が得られる。
【００２５】
本発明は、上述した実施の形態に限定されるものではない。例えば、上述した実施の形態では、容器本体２内にチョコレート菓子を収容物として収容するようにしているが、チョコレート菓子以外、例えば、飴菓子等の熱による影響を受け易い菓子や熱による影響が少ない菓子等を収容するようにしても良い。因みに、２５℃以上で表面が変質（軟化、溶融、粘性を生じる）し易いもの、特に３０℃以上で表面が変質しやすいものに適している。
【００２６】
また、上述した実施の形態では、容器本体２の胴部２１を曲面テーパー形状に形成するようにしているが、容器本体２の胴部２１をストレートなテーパー形状や径が略一定の円筒形状に形成するようにしてもよい。
【００２７】
また、上述した実施の形態では、筒状ラベル３の内面上部に感熱接着剤を塗布して筒状ラベル３の内面上部を容器本体２の胴部２１のストレート部２１ａの外周面に接着するようにしているが、筒状ラベル３の内面の上部以外に感熱接着剤を塗布して筒状ラベル３の内面の上部以外を容器本体２の胴部２１の外周面に接着するようにしてもよい。
【００２８】
更に、上述した実施形態では、容器本体２の底部２２の内面を凹凸のない平坦面に形成しているが、容器本体２の底部２２の内面に容器本体２の内方に突出するリブを底部２２の中心から放射状に設けるようにしてもよい。
【図面の簡単な説明】
【００２９】
【図１】本発明の実施の形態に係るカップ状容器の斜視図である。
【図２】前記カップ状容器の図３のＡ−Ａ線に沿った半断面図である。
【図３】前記カップ状容器の平面図である。
【図４】前記カップ状容器の図２のＢ部の拡大図である。
【図５】前記カップ状容器の縦リブを示す図４のＣ−Ｃ線に沿った断面図である。
【図６】従来のカップ状容器の斜視図である。
【符号の説明】
【００３０】
１…カップ状容器、２…容器本体、３…筒状ラベル、２１…胴部、２１ａ…ストレート部、２１ｂ…縦リブ、２２…底部、２３…フランジ部
【図１】
2007022556.tif 000003
【図２】
2007022556.tif 000004
【図３】
2007022556.tif 000005
【図４】
2007022556.tif 000006
【図５】
2007022556.tif 000007
【図６】
2007022556.tif 000008